(57)【要約】【課題】画像表示部に表示される画像のコントラストの均一化を図ることができる電気光学装置及びこの電気光学装置を備えた電子機器を提供すること。【解決手段】インターフェース基板２０の突出部２２に画像調整手段（可変抵抗器２７）を設け、本体部２１に実装されている光源部２４のＬＥＤ２５からの光を表示用基板１０の画像表示部１１に照射し、この画像表示部１１に表示される画像のコントラストを検査し、画像調整手段により画像表示部１１に表示される画像のコントラストを調整する。【選択図】      図６
2004302322.tif 000002
【特許請求の範囲】
【請求項１】
電気光学装置において、
画像を表示する画像表示部が設けられた表示用基板と、
前記表示用基板に接続されるインターフェース基板と、
前記インターフェース基板の一方の面上に設けられた光源部と、
前記光源部から光を照射され、当該照射された光を前記画像表示部に照射する導光板と、
前記インターフェース基板の前記一方の面上に設けられ、且つ前記画像表示部の表示の調整が可能である画像調整手段と、
を備え、
前記インターフェース基板は、前記光源部が前記導光板と対向するように、且つ前記表示用基板に平面的に重なるように折り曲げられ、
前記画像調整手段は、前記インターフェース基板の前記表示用基板から突出した突出部に配置されてなることを特徴とする電気光学装置。
【請求項２】
電気光学装置において、
画像を表示する画像表示部が設けられた表示用基板と、
一端部が前記表示用基板に接続されるインターフェース基板と、
前記インターフェース基板の一方の面上に設けられた光源部と、
前記光源部から光を照射され、当該照射された光を前記画像表示部に照射する導光板と、
前記インターフェース基板の前記一方の面上に設けられ、且つ前記画像表示部の表示の調整が可能である画像調整手段と、
を備え、
前記インターフェース基板は、前記光源部が前記導光板と対向するように、前記一端部を始点として前記一方の面を内側にして折り曲げられ、
前記インターフェース基板の前記画像調整手段が設けられた部分は、前記一方の面が外側を向くように折り曲げられてなることを特徴とする電気光学装置。
【請求項３】
前記画像調整手段は、前記画像表示部の駆動電圧を調整することを特徴とする請求項１又は２に記載の電気光学装置。
【請求項４】
前記インターフェース基板の一方の面上に設けられ、且つ外部からの電圧が供給されるコネクタと、
前記インターフェース基板の他方の面上に設けられ、且つ前記コネクタ及び前記画像調整手段に重なる補強板と、
をさらに備えることを特徴とする請求項１乃至３のいずれか１項に記載の電気光学装置。
【請求項５】
前記画像調整手段は、可変抵抗器を含み、当該可変抵抗器の抵抗値を調整することにより、前記駆動電圧の値を調整可能であることを特徴する請求項３又は４に記載の電気光学装置。
【請求項６】
前記画像調整手段は、可変抵抗器と分圧抵抗器とを有してなることを特徴とする請求項５に記載の電気光学装置。
【請求項７】
前記分圧抵抗器は、前記可変抵抗器に配線を介して電気的に接続され、
前記配線に対してその他の配線が交差しないことを特徴とする請求項６に記載の電気光学装置。
【請求項８】
請求項１乃至７のいずれかに１項に記載の電気光学装置を備えた電子機器。
【発明の詳細な説明】
【０００１】
【発明の属する技術分野】
この発明は、電気光学装置に関し、さらに詳しくは、画像表示部の表示の調整が可能である画像調整手段を有する電気光学装置及び電子機器に関する。
【０００２】
【従来の技術】
液晶表示装置等の電気光学装置は、液晶などにより構成されている複数の画素からなる画像表示部を有する表示用基板と、この画像表示部を駆動するための駆動回路部と、この表示用基板と携帯電話機など電子機器とを接続するインターフェース基板と、導光板に光を照射する光源と、この光源から照射された光を画像表示部に出射する導光板とから構成されている。この電気光学装置においては、画像表示部に所望の画像を表示させるためには光源、すなわちバックライトが必要である。この光源は電気光学装置が取り付けられる筐体に配置され、電気光学装置の表示用基板とこの筐体との間に設けられた導光板に光を照射し、この導光板は表示用基板の画像表示部に光を照射するものである。光源、例えばＬＥＤ（Ｌｉｇｈｔ  Ｅｍｉｔｔｉｎｇ  Ｄｉｏｄｅ）を筐体に配置するためあるいはこの光源を点灯させる点灯電圧を供給するための配線などのために表示用基板やインターフェース基板以外に光源用基板を設けることは、電気光学装置の製造コストや組み立て時間の増加を招くものである。そこで、電気光学装置の表示用基板に接続されるインターフェース基板に光源を実装する技術が提案されている。このインターフェース基板は、従来はガラス基板などの硬質基板が用いられていたが、近年では形状の変形などが容易で設計の自由度が高いＦＰＣ（Ｆｌｅｘｉｂｌｅ  Ｐｒｉｎｔｅｄ  Ｃｉｒｃｕｉｔｓ）、ヒートシールなどのフレキシブル基板が用いられている（特許文献１参照）。
【０００３】
ここで、このインターフェース基板に実装される光源であるＬＥＤなどは、それぞれ個体差を有している。つまり、ＬＥＤを点灯させるために同じ点灯電圧を供給しても、その色度が個々のＬＥＤによって異なるものである。一方、表示用基板の画像表示部も、電気光学装置ごとにその特性が異なる。例えば、表示用基板の画像表示部に画像を表示させるため、同じ駆動電圧を用いたとしても、この画像表示部に表示される画像のコントラストが異なるものである。従って、製造された電気光学装置の画像表示部に表示される画像のコントラストを均一化（最適化）するために、個々の電気光学装置の画像表示部の表示を調整する必要がある。このため、インターフェース基板上に画像調整手段を設けたり、インターフェース基板によって電気光学装置と接続される携帯電話機などの電子機器に画像調整手段を設けたりする必要がある。ここで、画像調整手段は、例えば駆動電圧の値を調整する。
【０００４】
【特許文献１】
実開平７−１４４３８号公報
【０００５】
【発明が解決しようとする課題】
ここで、従来では、電気光学装置の画像表示部に表示される画像のコントラストの調整、すなわち検査は、インターフェース基板に実装されたＬＥＤなどの光源ではなく、検査治具に設けられた光源を用いて行っていた。しかしながら、上述のように画像表示部に画像を表示させるための光源、特にＬＥＤは色度に個体差がある。従って、上記検査治具を用いて画像調整手段を調整し、この画像表示部を調整しても、電気光学装置の画像表示部が表示する画像のコントラストを均一化することができない場合があった。電気光学装置の画像表示部が表示する画像のコントラストを均一化するためには、この電気光学装置に実際に用いられる光源や導光板を筐体に取り付け、この光源を点灯した状態で、画像調整手段により表示を調整する必要がある。すなわち、インターフェース基板に実装された光源により、画像表示部が表示する画像のコントラストを均一化する必要がある。
【０００６】
従来のようにインターフェース基板がガラス基板などの硬質基板であれば、予め画像調整用の穴を設け、画像調整手段を光源であるＬＥＤなどの近傍に配置し、電気光学装置を筐体に取り付け、光源を筐体に配置した状態で、表示を調整することができる。しかしながら、インターフェース基板がＦＰＣやヒートシールなどのフレキシブル基板の場合は、画像調整用の穴を設けることは困難である。また、画像調整手段により表示を調整するために、この画像調整手段に外力を加える必要がある。従って、この画像調整手段に加わる外力がフレキシブル基板であるインターフェース基板にも加わることとなる。インターフェース基板には、画像調整手段以外に光源であるＬＥＤに点灯電圧を供給するための配線や、駆動回路部として画像表示部に駆動電圧を供給するドライバＩＣ、このドライバＩＣなどに電圧を供給する電源ＩＣ、このドライバＩＣや電源ＩＣを制御するコントロールＩＣなどのＩＣが設けられている場合がある。従って、上記外力がインターフェース基板に加わりこのインターフェース基板が撓むことにより、このインターフェース基板の配線や上記ＩＣを構成する個別部品にストレスがかかり、配線が断線したり個別部品が破損したりすることで、表示用基板の画像表示部が表示異常をおこす恐れがある。
【０００７】
そこで、この発明は、上記に鑑みてなされたものであって、少なくとも電気光学装置の画像表示部に表示される画像のコントラストの均一化を図ることができ、画像表示部の表示を調整することによる表示用基板の画像表示部の表示異常の防止をも図ることができる電気光学装置及び電子機器を提供することを目的とする。
【０００８】
【課題を解決するための手段】
上述の目的を達成するために、この発明に係る電気光学装置は、電気光学装置において、画像を表示する画像表示部が設けられた表示用基板と、表示用基板に接続されるインターフェース基板と、インターフェース基板の一方の面上に設けられた光源部と、光源部から光を照射され、当該照射された光を画像表示部に照射する導光板と、インターフェース基板の一方の面上に設けられ、且つ画像表示部の表示の調整が可能である画像調整手段とを備え、インターフェース基板は、光源部が導光板と対向するように、且つ表示用基板に平面的に重なるように折り曲げられ、画像調整手段は、インターフェース基板の表示用基板から突出した突出部に配置されてなることを特徴とする。
【０００９】
この発明によれば、画像表示部の表示を調整する画像調整手段は、インターフェース基板の光源部を有する部分ではなく、表示用基板から突出したインターフェース基板の突出部に設けられる。従って、電気光学装置の検査時に、インターフェース基板の光源部を用いて、画像表示部に表示される画像のコントラストを調整することができる。これにより、実際に画像表示部に導光板を介して光を照射する光源部の個体差による画像表示部のコントラストの不均一を少なくすることができ、画像表示部に表示される画像のコントラストの均一化を図ることができる。ここで、表示用基板とは、ガラス基板などの硬質基板やＦＰＣ（Ｆｌｅｘｉｂｌｅ  Ｐｒｉｎｔｅｄ  Ｃｉｒｃｕｉｔｓ）やヒートシールなどのフレキシブル基板が含まれる。一方、インターフェース基板とは、ＦＰＣやヒートシールなどのフレキシブル基板である。また、光源としてはインターフェース基板に実装できるものであれば良く、ＬＥＤやエレクトロルミネッセンスなどが含まれる（以下、同様）。また、表示用基板から突出した突出部とは、表示用基板を平面的に見て表示用基板から突出した部分のことをいう。
【００１０】
また、次の発明に係る電気光学装置は、電気光学装置において、画像を表示する画像表示部が設けられた表示用基板と、一端部が表示用基板に接続されるインターフェース基板と、インターフェース基板の一方の面上に設けられた光源部と、光源部から光を照射され、当該照射された光を画像表示部に照射する導光板と、インターフェース基板の一方の面上に設けられ、且つ画像表示部の表示の調整が可能である画像調整手段とを備え、インターフェース基板は、光源部が導光板と対向するように、一端部を始点として一方の面を内側にして折り曲げられ、インターフェース基板の画像調整手段が設けられた部分は、一方の面が外側を向くように折り曲げられてなることを特徴とする。
【００１１】
この発明によれば、画像表示部の表示を調整する画像調整手段は、インターフェース基板の光源部を有する部分ではなく、インターフェース基板の一方の面が外側を向くように折り曲げられてなる部分に設けられている。従って、電気光学装置の検査時に、インターフェース基板の光源部を用いて、画像調整手段により画像表示部に表示される画像のコントラストを調整することができる。これにより、実際に画像表示部に導光板を介して光を照射する光源部の個体差による画像表示部のコントラストの不均一を少なくすることができ、画像表示部に表示される画像のコントラストの均一化を図ることができる。
【００１２】
また、次の発明に係る電気光学装置は、上記電気光学装置において、前記画像調整手段は、前記画像表示部の駆動電圧を調整することを特徴とする。また、次の発明に係る電気光学装置は、上記電気光学装置において、インターフェース基板の一方の面上に設けられ、且つ外部からの電圧が供給されるコネクタと、インターフェース基板の他方の面上に設けられ、且つコネクタ及び画像調整手段に重なる補強板とをさらに備えることを特徴とする。
【００１３】
これらの発明によれば、インターフェース基板の一方の面上には、外部から電圧が供給されるコネクタ及び画像表示部の駆動電圧を調整するための画像調整手段とが設けられており、この反対側であるインターフェース基板の他方の面上には、コネクタの着脱を容易にするための補強板がこのコネクタと画像調整手段に重なるように設けられている。従って、画像調整手段により、駆動電圧の値の調整、すなわち画像表示部に表示される画像のコントラストを調整する際に、この画像調整手段に外力を加えても補強板によりコネクタ及び画像調整手段が設けられているインターフェース基板が撓むことがない。これにより、インターフェース基板の配線や上記ＩＣを構成する個別部品にかかるストレスが低減でき、配線の断線や個別部品の破損防止でき、上述のように画像表示部に表示される画像のコントラストを均一化することができるとともに、駆動電圧の値を調整することによる画像表示部の表示異常の防止を図ることができる。
【００１４】
また、次の発明に係る電気光学装置は、上記の電気光学装置において、画像調整手段は、可変抵抗器を含み、当該可変抵抗器の抵抗値を調整することにより、駆動電圧の値を調整可能であることを特徴する。この発明によれば、画像調整手段を可変抵抗器とするので、画像表示部に表示される画像のコントラストを均一化する際に、駆動電圧を必要な電圧の値に容易に調整することができる。ここで、可変抵抗器とは、ボリューム式可変抵抗器やスライド式可変抵抗器が含まれる。
【００１５】
また、次の発明に係る電気光学装置は、上記の電気光学装置において、画像調整手段は、可変抵抗器と分圧抵抗器とを有してなることを特徴とする。また、次の発明に係る電気光学装置は、上記の電気光学装置において、分圧抵抗器は、可変抵抗器に配線を介して電気的に接続され、配線に対してその他の配線が交差しないことを特徴とする。これらの発明によれば、分圧抵抗器及び可変抵抗器が共に突出部あるいはインターフェース基板の一方の面が外側を向くように折り曲げられてなる部分に設けられているため、この分圧抵抗器と可変抵抗器を接続する配線の距離が短くなる。従って、この配線がインターフェース基板のその他の配線と交差することを防止できる。これにより、インターフェース基板の配線どうしが交差することで発生するノイズを低減することができるため、画像表示部の表示異常の防止をさらに図ることができる。
【００１６】
また、次の発明に係る電子機器は、本発明に記載の電気光学装置を備えるので、電子機器の画像表示部として用いられる電気光学装置の画像表示部に表示される画像のコントラストの均一化を図ることができる。
【００１７】
【発明の実施の形態】
以下、この発明につき図面を参照しつつ詳細に説明する。なお、この実施の形態によりこの発明が限定されるものではない。また、下記実施の形態における構成要素には、当業者が容易に想定できるもの或いは実質的に同一のものが含まれる。なお、本発明に係る電気光学装置としては、例えば液晶表示装置が挙げられるがこれに限定されるものではない。
【００１８】
〔第一実施形態〕
図１は、第一の実施形態に係る電気光学装置の構成例を示す図である。同図（ａ）に示すように、この電気光学装置１は、携帯電話機などの電子機器に実装するものであり、表示用基板１０とインターフェース基板２０とで構成されている。表示用基板１０は、ガラス基板などの硬質基板であり、画像表示部１１が設けられている。この画像表示部１１は、複数個の画素で構成されている。ここで、電気光学装置１が、例えば液晶表示装置であれば、表示用基板１０は図示しない第一の表示用基板と第二の表示用基板との２つの基板の間に液晶が封入されて形成されている。また、画像表示部１１は、その上下に後述する光源部２４であるＬＥＤ２５の光を偏光する偏光板１２、１３が設けられている。また、表示用基板１０の所定個所には、同図（ｂ）に示すように、画像表示部１１を駆動するための駆動回路部であるドライバＩＣ１４が実装されている。すなわち、この電気光学装置１は、ＣＯＧ構造（Ｃｈｉｐ  Ｏｎ  Ｇｌａｓｓ）である。
【００１９】
一方、インターフェース基板２０は、ＦＰＣやヒートシールなどのフレキシブル基板であり、本体部２１と突出部２２とにより構成されている。本体部２１は、ほぼ長方形状であり、その一端２３が表示用基板１０と電気的に接続されている。この接続は、導電部材を含む接着剤などで行われている。この本体部２１には、後述する筐体４０に配置される光源部２４として、筐体４０の導光板４２に光を照射するＬＥＤ２５が複数個（同図（ｂ）では３個）実装されている。突出部２２は、Ｌ字状であり、本体部２１の光源部２４が設けられている一方の面上と同一面上にコネクタ２６が設けられている。
【００２０】
図２は、インターフェース基板の突出部の拡大図である。同図（ａ）に示すように、コネクタ２６は、突出部２２の先端に設けられており、その断面形状が凹形状のメス型のコネクタである。このコネクタ２６は、図示しないこの電気光学装置１を取り付ける携帯電話機などの電子機器に設けられた断面形状が凸形状のオス型のコネクタと電気的に接続でき、かつ着脱可能となっている。なお、２６ａはインターフェース基板２０の突出部２２に設けられた配線とコネクタ２６を接続するための脚部である。
【００２１】
インターフェース基板２０の突出部２２は、その先端、すなわちコネクタ２６の近傍に、スペース２７が設けられている（同図（ａ）では、右側）。このスペース２７に画像調整手段である可変抵抗器２８と２つの分圧抵抗器２９が設けられている。可変抵抗器２８は、ドライバなどでその抵抗値を変更することで、この可変抵抗器２８の下流側に設けられている画像表示部１１の駆動電圧の値を変更することができるボリューム式可変抵抗器である。一方、２つの分圧抵抗器２９は、画像調整手段に供給される電圧を定格値以下にするものである。画像調整手段である可変抵抗器２８と２つの分圧抵抗器２９の回路構成は、同図（ｂ）に示すように、可変抵抗器２８の上流側に一方の分圧抵抗器２９が設けられ、可変抵抗器２８とアースとの間に他方の分圧抵抗器２９が設けられている。
【００２２】
ここで、可変抵抗器２８及び２つの分圧抵抗値２９は、上述のように共に突出部２２に設けられている。これは、可変抵抗器２８と分圧抵抗器２９とを電気的に接続するインターフェース基板２０に設けられた配線を短くすることで、この配線がインターフェース基板２０に設けられた本体部２１の光源部２４を駆動するための点灯電圧用の配線などのその他の配線と交差することを防止するためである。これにより、インターフェース基板２０の配線どうしが交差することで発生するノイズを低減することができるため、電気光学装置１の画像表示部１１に対するこのノイズの影響を少なくすることができ、この画像表示部１１の表示異常の防止を図ることができる。
【００２３】
インターフェース基板２０の突出部２２には、コネクタ２６が取り付けられている一方の面の反対側、すなわち他方の面に補強板３０が設けられている。この補強板３０は、ガラスエポキシなどからなり、その厚みはこのコネクタ２６と携帯電話機などの電子機器に設けられたコネクタとを着脱する際に、インターフェース基板２０の突出部２２が撓まない程度の厚みを有している。この補強板３０は、画像調整手段である可変抵抗器２８及び分圧抵抗器２９が取り付けられている突出部２２のスペース２７まで延在している。ここで、補強板３０は、インターフェース基板２０の突出部２２のコネクタ２６及び画像調整手段が設けられている一方の面と反対側である他方の面の一部にしか設けられていないが、突出部２２の全部を覆うように設けても良い。
【００２４】
次に、この電気光学装置１の筐体４０への組付けについて説明する。図３〜図６は、第一の実施形態に係る電気光学装置の筐体への組付けの説明図である。まず、図３に示すように、電気光学装置１を筐体４０の中央部に設けられた空間部４１に挿入する。ここで、この空間部４１の底面には、後述する筐体４０に配置された光源部２４のＬＥＤ２５から照射される光を表示用基板１０の画像表示部１１に均一に出射するための導光板４２が設けられている。また、筐体４０には、表示用基板１０とこの筐体４０の空間部４１（導光板４２）との間に隙間を設けるために、この表示用基板１０の位置決めを行う位置決め部材４３が設けられている。
【００２５】
次に、図４に示すように、筐体４０の空間部４１に挿入された電気光学装置１のインターフェース基板２０の本体部２１を矢印Ａ方向に折り曲げる。このとき、インターフェース基板２０の突出部２２も本体部２１と同様に矢印Ａ方向に回転する。本体部２１が矢印Ａ方向に折り曲げられることで、この本体部２１に実装された光源部２４のＬＥＤ２５は、導光板４２と対向するように折り曲げられる。折り曲げられた本体部２１の図示しない端部は、筐体４０の切欠き部４４の周囲に接着剤あるいは両面テープなどで固定される。
【００２６】
次に、図５に示すように、インターフェース基板２０の突出部２２を矢印Ｂ方向に折り曲げる。この折り曲げられた突出部２２は、筐体４０に固定された本体部２１に接着剤あるいは両面テープなどで固定される。以上により、図６に示すように、電気光学装置１が筐体４０に組み付けられる。図７は、図６（ａ）のＣ−Ｃ断面図である。同図に示すように、インターフェース基板２０の本体部２１に実装された光源部２４のＬＥＤ２５は、筐体４０の空間部４１に導光板４２と対向するように配置される。一方、インターフェース基板２０の突出部２２の画像調整手段である可変抵抗器２８と２つの分圧抵抗器２９は、電気光学装置１が筐体４０に組み付けられた状態で、外部に露出している。つまり、画像調整手段である可変抵抗器２８と２つの分圧抵抗器２９は、表示用基板１０や筐体４０（組立てられた電気光学装置１）から突出した位置に配置される。換言すれば、画像調整手段は、表示用基板１０や筐体４０に平面的に重ならない位置に配置される。
【００２７】
従って、電気光学装置１が筐体４０に組み付けられた状態でも、画像調整手段である可変抵抗器２８により、画像表示部１１に表示する画像のコントラストを調整、すなわち画像表示部１１の駆動電圧の値を調整することができる。以上により、実際に画像表示部１１に導光板４２を介して光を照射する光源部２４のＬＥＤ２５の個体差による画像表示部１１のコントラストの不均一を少なくすることができ、画像表示部１１に表示される画像のコントラストの均一化を図ることができる。
【００２８】
次に、筐体４０に組み付けられた電気光学装置１の検査、調整方法について説明する。図８は、電気光学装置の検査、調整方法の説明図である。筐体４０に組み付けられた電気光学装置１は、図６に示すように、インターフェース基板２０の突出部２２が外部に露出、すなわち画像調整手段である可変抵抗器２８と２つの分圧抵抗器２９が、表示用基板１０や筐体４０（組立てられた電気光学装置１）から突出した位置に配置される状態である。換言すれば、画像調整手段は、表示用基板１０や筐体４０に平面的に重ならない位置に配置される状態である。従って、まず、検査治具１００のコネクタ１１０と突出部２２のコネクタ２６を接続する。次に、検査治具１００のコネクタ１１０に電圧を供給する。供給された電圧は、突出部２２のコネクタ２６、画像調整手段、駆動回路部であるドライバＩＣ１４を介して、表示用基板１０の画像表示部１１に駆動電圧として供給される。ここで、突出部２２のコネクタ２６から画像調整手段に供給される電圧は、その電圧をまず分圧抵抗器２９により電気光学装置１の画像表示部１１で正常に画像を表示できる定格値以下にされ、必要に応じて可変抵抗器２８により定格値以下にされた電圧の値を微調整して、画像表示部１１に駆動電力として供給される。また、コネクタ２６からインターフェース基板２０の本体部２１に実装されている光源部２４のＬＥＤ２５を点灯させるための点灯電圧が供給される。
【００２９】
ここで、電気光学装置１が取り付けられる携帯電話機などの電子機器によっては、所望する電気光学装置１の画像表示部１１が表示する画像のコントラストが異なる。従って、検査治具１００から供給される電圧により、ＬＥＤ２５を点灯させるとともに、駆動回路部であるドライバＩＣ１４を介して画像表示部１１に駆動電力を供給することで、このドライバＩＣ１４が画像表示部１１を駆動し、この画像表示部１１に画像を表示させて、この表示された画像のコントラストが上記所望するコントラストと同一であるか否かを検査する。なお、本体部２１に実装されている個々のＬＥＤ２５の色度の相違、このＬＥＤ２５からの光が導光板４２を介して照射されることで画像を表示する画像表示部１１の特性によって、画像表示部１１が表示する画像のコントラストが上記所望するコントラストと異なる場合がある。この場合は、図８に示すように、突出部２２に設けられた画像調整手段である可変抵抗器２８をドライバ１２０により矢印Ｄのいずれかの方向に回転させ、可変抵抗器２８の抵抗値を変化させる。これにより、画像表示部１１に表示される画像のコントラストを上記所望のコントラストに容易に調整することができる。なお、調整された画像表示部１１に表示される画像のコントラストとしては、例えば画像表示部１１に表示される文字がはっきりと視認できるコントラストあるいは画像表示部１１に表示される画像のうち、白色がはっきりと視認できるコントラストなどが好ましい。
【００３０】
この調整を行う際には、可変抵抗器２８にドライバ１２０を介して外力を加えるが、この可変抵抗器２８の設けられている突出部２２の一方の面の反対側である他方の面には補強板３０が取り付けられているので、突出部２２が撓むことがない。これにより、インターフェース基板２０の配線やＩＣなどを構成する個別部品にかかるストレスを低減でき、配線の断線や個別部品の破損防止でき、駆動電圧の値を調整することによる画像表示部１１の表示異常の防止を図ることができる。
【００３１】
〔第二実施形態〕
図９は、第二の実施形態に係る電気光学装置の構成例を示す図である。同図に示す電気光学装置１´が図１に示す電気光学装置１と異なる点は、インターフェース基板２０´が突出部２２を有さず、本体部２１´が略正方形状である点である。なお、表示用基板１０、駆動回路部（ドライバＩＣ１４）の基本的構成は、図１に示す電気光学装置１と略同様であるのでその説明は省略する。ここで、この電気光学装置１´は、図１に示す電気光学装置１と同様にＣＯＧ構造（Ｃｈｉｐ  Ｏｎ  Ｇｌａｓｓ）である。
【００３２】
インターフェース基板２０´は、ＦＰＣやヒートシールなどのフレキシブル基板であり、本体部２１´の一端２３が表示用基板１０と電気的に接続されている。この接続は、導電部材を含む接着剤などで行われている。この本体部２１´は、同図（ｂ）に示すように、その一方の面上に後述する筐体４０に配置される光源部２４の光源であるＬＥＤ２５が複数個（同図（ｂ）では３個）実装されている。また、インターフェース基板２０´の光源部２４が設けられている一方の面上には、一端２３と反対側である他端の近傍にコネクタ２６と画像調整手段である可変抵抗器２８と分圧抵抗器２９が設けられている。
【００３３】
コネクタ２６の形状は、図２に示すように、その断面形状が凹形状のメス型のコネクタであり、図示しないこの電気光学装置１を取り付ける携帯電話機などの電子機器に設けられた断面形状が凸形状のオス型のコネクタと電気的に接続でき、かつ着脱可能となっている。インターフェース基板２０´の一端２３と反対側である他端の近傍に設けられた画像調整手段である可変抵抗器２８は、ドライバなどでその抵抗値を変更することで、この可変抵抗器２８の下流側に設けられている画像表示部１１の駆動電圧の値を変更することができるボリューム式可変抵抗器である。一方、２つの分圧抵抗器２９は、画像調整手段に供給される電圧を定格値以下にするものである。また、可変抵抗器２８及び２つの分圧抵抗値２９は、後述するインターフェース基板の一方の面が外側を向くように折り曲げられてなる部分に設けられており、上述したように、可変抵抗器２８と分圧抵抗器２９とを電気的に接続するインターフェース基板２０´に設けられた配線を短くし、インターフェース基板２０´の配線どうしが交差することで発生するノイズを低減する。ここで、上記第一実施形態と同様に、インターフェース基板２０´のコネクタ２６及び画像調整手段が設けられている一方の面と反対側の他方の面に、このコネクタ２６及び画像調整手段が重なるように補強板３０を設けても良い。
【００３４】
次に、この電気光学装置１´の筐体４０への組付けについて説明する。図１０、図１１は、第二の実施形態に係る電気光学装置の筐体への組付けの説明図である。なお、この電気光学装置１´を組み付ける筐体４０の構成は、第一実施形態の筐体４０と同様であるので、その説明は省略する。まず、図１０（ａ）に示すように、電気光学装置１´を筐体４０の中央部に設けられた空間部４１に挿入し、この筐体４０の空間部４１に挿入された電気光学装置１のインターフェース基板２０´の本体部２１´を一端２３が始点となるように矢印Ｅ方向に折り曲げる。すなわち、インターフェース基板２０´の光源部２４、コネクタ２６、画像調整手段が設けられている一方の面を内側にして折り曲げる。本体部２１´が矢印Ｅ方向に折り曲げられることで、この本体部２１´に実装された光源部２４のＬＥＤ２５は、導光板４２と対向するように折り曲げられる。折り曲げられた本体部２１´の一部Ｇは、筐体４０の切欠き部４４の周囲に接着剤あるいは両面テープなどで固定される（同図（ｂ）参照）。
【００３５】
次に、図１０（ｂ）に示すように、内側にして折り曲げたインターフェース基板２０´のコネクタ２６及び画像調整手段が設けられた部分、すなわちインターフェース基板２０´の一方の面が外側を向くように折り曲げられてなる部分Ｈを矢印Ｆ方向に折り曲げる。このとき、光源部２４が設けられたインターフェース基板２０´の部分Ｇは、上述のように、すでに筐体４０に固定されているので、矢印Ｅ方向に折り曲げる際に、コネクタ２６及び画像調整手段が設けられた部分Ｈと一緒に折り曲げられることはない。以上により、図１１に示すように、電気光学装置１´が筐体４０に組み付けられる。一方、インターフェース基板２０´の本体部２１´の画像調整手段である可変抵抗器２８と２つの分圧抵抗器２９は、図１１に示すように、電気光学装置１´が筐体４０に組み付けられた状態で、外部に露出している。
【００３６】
従って、電気光学装置１´が筐体４０に組み付けられた状態でも、画像調整手段である可変抵抗器２８により、画像表示部１１に表示する画像のコントラストを調整、すなわち画像表示部１１の駆動電圧の値を調整することができる。以上により、実際に画像表示部１１に導光板４２を介して光を照射する光源部２４のＬＥＤ２５の個体差による画像表示部１１のコントラストの不均一を少なくすることができ、画像表示部１１に表示される画像のコントラストの均一化を図ることができる。
【００３７】
なお、この筐体４０に組み付けられた電気光学装置１´の検査、調整方法は、第一の実施形態と同様であり、まず図８に示すように、検査治具１００のコネクタ１１０と本体部２１´のコネクタ２６を接続し、検査治具１００のコネクタ１１０に電圧を供給する。供給された電圧は、コネクタ２６、画像調整手段、駆動回路部であるドライバＩＣ１４を介して、画像表示部１１に駆動電圧として供給されるとともに、インターフェース基板２０´の本体部２１´に実装されている光源部２４のＬＥＤ２５を点灯させるための点灯電圧として供給される。検査治具１００から供給される電圧により、ＬＥＤ２５を点灯させるとともに、駆動回路部であるドライバＩＣ１４を介して画像表示部１１に駆動電力を供給することで、このドライバＩＣ１４が画像表示部１１を駆動し、この画像表示部１１に画像を表示させて、この表示された画像のコントラストが所望するコントラストと同一であるか否かを検査する。そして、画像表示部１１が表示する画像のコントラストが上記所望するコントラストと異なる場合は、図８に示すように、画像調整手段である可変抵抗器２８をドライバ１２０により矢印Ｄのいずれかの方向に回転させ、可変抵抗器２８の抵抗値を変化させる。これにより、画像表示部１１に表示される画像のコントラストを上記所望のコントラストに調整する。
【００３８】
なお、上記第一及び第二実施形態では、電気光学装置１、１´としてＣＯＧ構造の電気光学装置について説明したが、本発明はこれに限定されるものではなく、インターフェース基板２０、２０´に駆動回路部であるドライバＩＣ１４を実装するＣＯＦ（Ｃｈｉｐ  Ｏｎ  ＦＰＣ）構造の電気光学装置に用いても良い。
【００３９】
また、可変抵抗器２８としては、この可変抵抗器２８を含む画像調整手段を有する電気光学装置の種類によって、例えば、５ｋΩ、１０ｋΩ、２０ｋΩ、３０ｋΩの可変抵抗値の可変抵抗器を選択する。これは、例えば可変抵抗値が大きい（３０ｋΩ以上）可変抵抗器を画像調整手段として用いると消費電流値が大きくなるが、この画像表示部１１に表示される画像のコントラストを調整できる幅が広がる。すなわち電子機器が画像表示部１１に所望するコントラストに容易に調整することができる。一方、可変抵抗値が小さい（５ｋΩ以下）可変抵抗器を画像調整手段として用いると消費電流値が小さくなるが、この画像表示部１１に表示される画像のコントラストを調整できる幅が狭くなる。すなわち電子機器が画像表示部に所望するコントラストに調整することができない恐れがある。
【００４０】
従って、可変抵抗器２８の可変抵抗値の決定は、少なくとも表示用基板１０の画像表示部１１における特性とインターフェース基板２０、２０´の本体部２１、２１´に実装される個々のＬＥＤ２５における色度の相違を考慮する必要がある。つまり、可変抵抗器２８は、画像表示部１１における特性と個々のＬＥＤ２５における色度のばらつきにより、画像表示部１１に表示される画像のコントラストの幅以上の幅で画像表示部１１に表示する画像のコントラストを調整できる可変抵抗値であることが好ましい。なお、電気光学装置１、１´の表示用基板１０に実装される駆動回路部であるドライバＩＣ１４の特性、すなわちばらつきをも考慮して、可変抵抗器２８の可変抵抗値を決定しても良い。
【００４１】
〔本発明の適用対象〕
本発明に係る電気光学装置１、１´が適用できる電子機器としては、携帯電話機の他に、例えば、ＰＤＡ（Ｐｅｒｓｏｎａｌ  Ｄｉｇｉｔａｌ  Ａｓｓｉｓｔａｎｔｓ）と呼ばれる携帯型情報機器や携帯型パーソナルコンピュータ、パーソナルコンピュータ、デジタルスチルカメラ、車載用モニタ、デジタルビデオカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話機、ＰＯＳ端末機等、電気光学装置を用いる機器が挙げられる。したがって、これらの電子機器における電気的接続構造であっても、本発明が適用可能であることはいうまでもない。
【００４２】
また、この電子光学装置１、１´は、透過型又は反射型の電気光学装置である。なお、アクティブマトリックス型のカラー電子光学装置であっても同様である。また、本発明の電子光学装置は、パッシブマトリクス型の電子光学装置及びアクティブマトリクス型の電子光学装置（例えば、ＴＦＴ（薄膜トランジスタ）や、ＴＦＤ（薄膜ダイオード）をスイッチング素子として備えた電子光学装置）にも同様に適用することができる。また、本発明の電気光学装置は、電気泳動表示装置にも適用可能である。さらに、本発明は、外部から照射された光を利用する様々な電気光学装置に適用可能なことは言うまでもない。
【図面の簡単な説明】
【図１】第一の実施形態に係る電気光学装置の構成例を示す図。
【図２】インターフェース基板の突出部の拡大図。
【図３】第一の実施形態に係る電気光学装置の筐体への組付けの説明図。
【図４】第一の実施形態に係る電気光学装置の筐体への組付けの説明図。
【図５】第一の実施形態に係る電気光学装置の筐体への組付けの説明図。
【図６】第一の実施形態に係る電気光学装置の筐体への組付けの説明図。
【図７】図６（ａ）のＣ−Ｃ断面図。
【図８】電気光学装置の検査、調整方法の説明図。
【図９】第二の実施形態に係る電気光学装置の構成例を示す図。
【図１０】第二の実施形態に係る電気光学装置の筐体への組付けの説明図。
【図１１】第二の実施形態に係る電気光学装置の筐体への組付けの説明図。
【符号の説明】
１，１´  電気光学装置、１０  表示用基板、１１  画像表示部、２０、２０´  インターフェース基板、２１、２１´  本体部、２２  突出部、２４  光源部、２５  ＬＥＤ、２６  コネクタ、２７  スペース、２８  可変抵抗器、２９
分圧抵抗器、３０  補強板、４０  筐体
【図１】
2004302322.tif 000003
【図２】
2004302322.tif 000004
【図３】
2004302322.tif 000005
【図４】
2004302322.tif 000006
【図５】
2004302322.tif 000007
【図６】
2004302322.tif 000008
【図７】
2004302322.tif 000009
【図８】
2004302322.tif 000010
【図９】
2004302322.tif 000011
【図１０】
2004302322.tif 000012
【図１１】
2004302322.tif 000013